(57)【要約】【課題】ジュースやコーヒーやビールなどの円柱状の飲料缶３０の上方に、小袋入りなどの物品４０を、店頭で添付して展示販売することができる、工程が簡単で作製費用が廉価な飲料缶用の物品ホルダーを提供する。【解決手段】本発明は、それぞれ適宜形状の左の起立部材２１と水平部材２２と右の起立部材２１とを、折り目線ａ ,ａを介して順に連設して、この左右の起立部材２１ ,２１の上端又は上部に、偏平Ｕ字状の切れ目線ｂ ,ｂを設けた、剛性を有する板紙製や合成紙製やプラスチックシート製などの物品ホルダー２０であって、円柱状の飲料缶３０の上端の、プルタブ付の蓋板の円周状の巻締め部３１に、物品ホルダー２０の折下げた左右の起立部材２１ ,２１の、上端又は上部に設けた偏平Ｕ字状の切れ目線ｂ ,ｂの、剛性を有するＵ字状の内側を押込んで繋止する飲料缶用の物品ホルダーである。【選択図】図１
2005132448.tif 000002
【特許請求の範囲】
【請求項１】
それぞれ適宜形状の左の起立部材２１と水平部材２２と右の起立部材２１とを、折り目線ａ ,ａを介して順に連設して、この左右の起立部材２１ ,２１の上端又は上部に、偏平Ｕ字状の切れ目線ｂ ,ｂを設けた、剛性を有する板紙製や合成紙製やプラスチックシート製などの物品ホルダー２０であって、円柱状の飲料缶３０の上端の、蓋板の円周状の巻締め部３１に、物品ホルダー２０の折下げた左右の起立部材２１ ,２１の、上端又は上部に設けた偏平Ｕ字状の切れ目線ｂ ,ｂの、剛性を有するＵ字状の内側を押込んで繋止することを特徴とする飲料缶用の物品ホルダー。
【請求項２】
請求項１に記載の飲料缶用の物品ホルダーにおいて、それぞれ適宜形状の左の起立部材２１と水平部材２２と右の起立部材２１とを、順に連設した折り目線ａ ,ａの中央部分に替えて、半円状や逆Ｕ字状などの、水平部材２２側に膨らんだ切れ目線ｃ ,ｃを設けたことによって、物品ホルダー２０の折下げた左右の起立部材２１ ,２１の、上辺を一体に延長したことを特徴とする飲料缶用の物品ホルダー。
【発明の詳細な説明】
【技術分野】
【０００１】
本発明は、ジュースやコーヒーやビールなどの円柱状の飲料缶３０の上方に、小袋入りなどの物品４０を、店頭で添付して展示販売することができる、工程が簡単で作製費用が廉価な飲料缶用の物品ホルダーに関する。
【背景技術】
【０００２】
従来から、大売出しなどのキャンペーン用として、例えば図５Ａに示すような、ジュースやコーヒーやビールなどの円柱状の飲料缶３０の上方に、子供玩具やクッキーやおつまみなどの小袋入りなどの物品４０を添付して、全体をシュリンク包装５０するなどして、一般に広く展示販売されている。
【０００３】
また従来から、大売出しなどのキャンペーン用として、例えば図５Ｂに示すような、ジュースやコーヒーやビールなどの円柱状の飲料缶３０の上方に、子供玩具やクッキーやおつまみなどの小袋入りなどの物品４０を添付して、円形キャップ状のプレミアムケース６０( 実登３０５１８７６号を参照 )を被せて、この円柱状の飲料缶３０の上端の、プルタブ付の蓋板の円周状の巻締め部３１に、プレミアムケース６０の下端の係合爪６１を嵌合するなどして、自動販売機などで展示販売されている。
【特許文献１】実用新案登録第３０５１８７６号公報
【発明の開示】
【発明が解決しようとする課題】
【０００４】
ところが従来の、図５Ａに示すシュリンク包装５０については、前述した円柱状の飲料缶３０の上方に、小袋入りなどの物品４０を添付して、通常のシュリンク包装設備を用いて、効率よくメーカーで全体をシュリンク包装５０することができるものの、大売出しなどのキャンペーンに合わせて、子供玩具やクッキーやおつまみなどの小袋入りなどの物品４０を独自に選んで、店頭でシュリンク包装５０することができないために、また添付した小袋入りなどの物品４０がむき出しであって、大売出しなどのキャンペーン表示が難しいために、キャンペーンの販売効果などに問題があった。
【０００５】
また従来の、図５Ｂに示すプレミアムケース６０については、大売出しなどのキャンペーンに合わせて、子供玩具やクッキーやおつまみなどの小袋入りなどの物品４０を独自に選んで、前述した円柱状の飲料缶３０の上方に、これらの小袋入りなどの物品４０を添付して、店頭で円形キャップ状のプレミアムケース６０を被せて嵌合して、自動販売機などで展示販売することができるものの、プレミアムケース６０が単に円形キャップ状であって、大売出しなどのキャンペーン表示がやゝ難しいために、同様にキャンペーンの販売効果などに問題があった。
【０００６】
そこで、本発明の目的は、ジュースやコーヒーやビールなどの円柱状の飲料缶３０の上方に、子供玩具やクッキーやおつまみなどの小袋入りなどの物品４０を独自に選んで、店頭で添付して展示販売することができる、大売出しなどのキャンペーン表示が容易であって、キャンペーンの販売効果などが優れた、工程が簡単で作製費用が廉価な飲料缶用の物品ホルダーを提供することにある。
【課題を解決するための手段】
【０００７】
本発明の飲料缶用の物品ホルダーは、図１Ａに示すように、それぞれ適宜形状の左の起
立部材２１と水平部材２２と右の起立部材２１とを、折り目線ａ ,ａを介して順に連設して、この左右の起立部材２１ ,２１の上端又は上部( 図１Ａでは上( 右又は左 )部 )に、偏平Ｕ字状の切れ目線ｂ ,ｂを設けた、剛性を有する板紙製や合成紙製やプラスチックシート製などの物品ホルダー２０であって、図１Ｂ ,Ｃに示すように、円柱状の飲料缶３０の上端の、蓋板の円周状の巻締め部３１に、物品ホルダー２０の折下げた左右の起立部材２１ ,２１の、上端又は上部( 図１Ｂ ,Ｃでは上部 )に設けた偏平Ｕ字状の切れ目線ｂ ,ｂの、剛性を有するＵ字状の内側を押込んで繋止することを特徴とする飲料缶用の物品ホルダーである。
【０００８】
本発明の飲料缶用の物品ホルダーにおいては、それぞれ適宜形状の左の起立部材２１と水平部材２２と右の起立部材２１とを、折り目線ａ ,ａを介して順に連設して、この左右の起立部材２１ ,２１の上端又は上部に、偏平Ｕ字状の切れ目線ｂ ,ｂを設けた、剛性を有する板紙製や合成紙製やプラスチックシート製などの物品ホルダー２０であって、ジュースやコーヒーやビールなどの円柱状の飲料缶３０の上端の、プルタブ付の蓋板の円周状の巻締め部３１に、子供玩具やクッキーやおつまみなどの小袋入りなどの物品４０を、水平部材２２の上面側又は下面側( 図１Ｂ ,Ｃでは下面側 )に、上面側には両面テープで接着するなどして添付した、物品ホルダー２０の折下げた左右の起立部材２１ ,２１の、上端又は上部に設けた偏平Ｕ字状の切れ目線ｂ ,ｂの、剛性を有するＵ字状の内側を押込むことによって、図１Ｂ ,Ｃに示すように、簡単に巻締め部３１の内側にＵ字状の内側が嵌合して、同時に巻締め部３１の下端にＵ字状の底部が嵌合して、確実に繋止することができる。
【０００９】
すなわち、本発明の飲料缶用の物品ホルダーにおいては、大売出しなどのキャンペーンに合わせて、ジュースやコーヒーやビールなどの円柱状の飲料缶３０の上方に、子供玩具やクッキーやおつまみなどの小袋入りなどの物品４０を独自に選んで、店頭で水平部材２２の上面側又は下面側に添付して、物品ホルダー２０の折下げた左右の起立部材２１ ,２１を確実に繋止して展示販売することができる、しかも、この折下げた左右の起立部材２１ ,２１に、美麗な印刷をすることによって、大売出しなどのキャンペーン表示が容易であって、キャンペーンの販売効果などが優れた飲料缶用の物品ホルダーを得ることができる。
【００１０】
なお、本発明の飲料缶用の物品ホルダーにおける、左右の起立部材２１ ,２１の上端又は上部に設ける、偏平Ｕ字状の切れ目線ｂ ,ｂの位置については、
左右の起立部材２１ ,２１の上端の折り目線ａ ,ａの位置に、Ｕ字状の両上端が接するように、偏平Ｕ字状の切れ目線ｂ ,ｂを設けた場合には、後述する図２Ｂ ,Ｃに示すように、円柱状の飲料缶３０の上端の円周状の巻締め部３１に接するように、物品ホルダー２０の水平部材２２が形成されるために、前述した小袋入りなどの物品４０を、水平部材２２の上面側に両面テープで接着するなどして添付して、
また左右の起立部材２１ ,２１の上部の、添付した小袋入りなどの物品４０が円柱状の飲料缶３０の上方に突出する高さに等しい折り目線ａ ,ａからの位置に、Ｕ字状の両上端が接するように、偏平Ｕ字状の切れ目線ｂ ,ｂを設けた場合には、前述した図１Ｂ ,Ｃに示すように、円柱状の飲料缶３０の上方に突出する小袋入りなどの物品４０の空間を残して、物品ホルダー２０の水平部材２２が形成されるために、前述した小袋入りなどの物品４０を、水平部材２２の下面側に添付して、
それぞれ物品ホルダー２０の折下げた左右の起立部材２１ ,２１の、上端又は上部に設けた偏平Ｕ字状の切れ目線ｂ ,ｂの、剛性を有するＵ字状の内側を押込むことによって、確実に繋止することができる。
【００１１】
また、本発明の飲料缶用の物品ホルダーは、前述した図１Ａ ,Ｂ ,Ｃに示す飲料缶用の物品ホルダーにおいて、図２Ａに示すように、それぞれ適宜形状の左の起立部材２１と水
平部材２２と右の起立部材２１とを、順に連設した折り目線ａ ,ａの中央部分に替えて、半円状や逆Ｕ字状など( 図２Ａでは半円状 )の、水平部材２２側に膨らんだ切れ目線ｃ ,ｃを設けたことによって、図２Ｂ ,Ｃに示すように、物品ホルダー２０の折下げた左右の起立部材２１ ,２１の、上辺を一体に延長したことを特徴とする飲料缶用の物品ホルダーである。
【００１２】
本発明の飲料缶用の物品ホルダーにおいては、前述した円柱状の飲料缶３０の上方に、前述した小袋入りなどの物品４０を独自に選んで、店頭で水平部材２２の上面側又は下面側に添付して、物品ホルダー２０の折下げた左右の起立部材２１ ,２１を確実に繋止して展示販売することができる、前述したキャンペーンの販売効果などが優れた飲料缶用の物品ホルダーにおいて、それぞれ適宜形状の左の起立部材２１と水平部材２２と右の起立部材２１とを、順に連設した折り目線ａ ,ａの中央部分に替えて、半円状や逆Ｕ字状などの、水平部材２２側に膨らんだ切れ目線ｃ ,ｃを設けたことによって、物品ホルダー２０の折下げた左右の起立部材２１ ,２１の、上辺を一体に延長することができる、しかも、この上辺を一体に延長して折下げた左右の起立部材２１ ,２１に、同様に美麗な印刷をすることによって、大売出しなどのキャンペーン表示がさらに容易であって、さらにキャンペーンの販売効果などが優れた飲料缶用の物品ホルダーを得ることができる。
【発明の効果】
【００１３】
以上、本発明の飲料缶用の物品ホルダーにおいては、ジュースやコーヒーやビールなどの円柱状の飲料缶３０の上方に、子供玩具やクッキーやおつまみなどの小袋入りなどの物品４０を独自に選んで、店頭で水平部材２２の上面側又は下面側に添付して、物品ホルダー２０の折下げた左右の起立部材２１ ,２１を確実に繋止して展示販売することができる、しかも、この折下げた左右の起立部材２１ ,２１に、美麗な印刷をすることによって、大売出しなどのキャンペーン表示が容易であって、キャンペーンの販売効果などが優れた飲料缶用の物品ホルダーを提供することができる。
【発明を実施するための最良の形態】
【００１４】
本発明の飲料缶用の物品ホルダーについては、後述する実施例に示すように、表面に大売出しなどの美麗な印刷をした、剛性を有する適宜の板紙や合成紙やプラスチックシートなどを用いて、通常の打抜型を用いた打抜工程で、無駄が少ない長方形楕円状などの飲料缶用の物品ホルダーのブランクを作製して、折り目線ａ ,ａを山折りして左右の起立部材２１ ,２１を折下げて、上端又は上部に設けた偏平Ｕ字状の切れ目線ｂ ,ｂの、剛性を有するＵ字状の内側を押込むだけで、円柱状の飲料缶３０の上端の円周状の巻締め部３１に、確実に繋止して展示販売することができる、工程が簡単で作製費用が廉価な飲料缶用の物品ホルダーを提供することができる。
【００１５】
また、本発明の飲料缶用の物品ホルダーにおける、左右の起立部材２１ ,２１の上端又は上部に設ける、偏平Ｕ字状の切れ目線ｂ ,ｂの形状については、通常の円柱状の飲料缶３０の上端の、上下幅が２.５〜３.０ｍｍ程度の円周状の巻締め部３１に対しては、Ｕ字状の深さが４〜６ｍｍ程度の、また２００〜５００ｍｌ入の円柱状の飲料缶３０の上端の、外径が５２〜６０ｍｍ程度の円周状の巻締め部３１に対しては、Ｕ字状の左右幅が１８〜２４ｍｍ程度の、それぞれ偏平Ｕ字状の切れ目線ｂ ,ｂを設けることが好ましい。
【実施例１】
【００１６】
図１Ａは、本発明の実施例１における、飲料缶用の物品ホルダーのブランクの平面図であって、図１Ｂ ,Ｃは、飲料缶用の物品ホルダーを、円柱状の飲料缶３０に繋止した状態を示す斜視図 ,部分断面説明図である。
【００１７】
すなわち、幅広半円状の左の起立部材２１と４５×４５ｍｍの正方形状の水平部材２２
と幅広半円状の右の起立部材２１とを、折り目線ａ ,ａを介して順に連設して、この左右の起立部材２１ ,２１の上( 図１Ａでは右又は左 )部の、折り目線ａ ,ａから５ｍｍの位置に、Ｕ字状の両上端が接するように、Ｕ字状の深さが５ｍｍで左右幅が２０ｍｍの偏平Ｕ字状の切れ目線ｂ ,ｂを設けた物品ホルダー２０であって、起立部材２１と水平部材２２と起立部材２１との表面に大売出しなどの美麗な印刷をした、剛性を有する３５０ｇ／ｍ2 の裏白コートボール紙を用いて、通常の打抜型を用いた打抜工程で、図１Ａに示す無駄が少ない長方形楕円状の飲料缶用の物品ホルダーのブランクを作製した。
【００１８】
次に、図１Ａに示す飲料缶用の物品ホルダーのブランクの、折り目線ａ ,ａを山折りして左右の起立部材２１ ,２１を折下げて、外径が５２ｍｍで高さが９４ｍｍの、２００ｍｌ入の円柱状の飲料缶３０の上端の、外径が同一で上下幅が２.８ｍｍの、プルタブ付の蓋板の円周状の巻締め部３１に、物品ホルダー２０の折下げた左右の起立部材２１ ,２１の、上部に設けた偏平Ｕ字状の切れ目線ｂ ,ｂの、剛性を有するＵ字状の内側を押込んだところ、図１Ｂ ,Ｃに示すように、簡単に巻締め部３１の内側にＵ字状の内側が嵌合して、同時に巻締め部３１の下端にＵ字状の底部が嵌合して、物品ホルダー２０の水平部材２２の下面側に、円柱状の飲料缶３０の上方に突出する小袋入りなどの物品４０の、高さが５ｍｍの空間を残して、確実に繋止することができる飲料缶用の物品ホルダーであって、しかも円柱状の飲料缶３０の上端の、円周状の巻締め部３１に確実に繋止した左右の起立部材２１ ,２１を、左右に開くように引張ることによって、上部に設けた偏平Ｕ字状の切れ目線ｂ ,ｂの、巻締め部３１の下端に嵌合したＵ字状の底部が外れて、簡単に取外すことができる飲料缶用の物品ホルダーが得られた。
【００１９】
すなわち、本実施例１の飲料缶用の物品ホルダーにおいては、大売出しなどのキャンペーンに合わせて、ジュースやコーヒーやビールなどの円柱状の飲料缶３０の上方に、子供玩具やクッキーやおつまみなどの小袋入りなどの物品４０を独自に選んで、店頭で水平部材２２の下面側に添付して、物品ホルダー２０の折下げた左右の起立部材２１ ,２１を確実に繋止して展示販売することができる、しかも、この折下げた左右の起立部材２１ ,２１と水平部材２２とに、美麗な印刷をしたことによって、大売出しなどのキャンペーン表示が容易であって、キャンペーンの販売効果などが優れた飲料缶用の物品ホルダーを得ることができた。
【００２０】
また、本実施例１の飲料缶用の物品ホルダーの、他の実施例においては、図３Ａに示すように、それぞれ幅広半円状の左右の起立部材２１ ,２１に、折り目線ａ ,ａを起点とした逆Ｕ字状の切れ目線ｄ ,ｄを設けることによって、図３Ｂに示すように、前述した円柱状の飲料缶３０の上端の、円周状の巻締め部３１に確実に繋止した左右の起立部材２１ ,２１の、逆Ｕ字状の切れ目線ｄ ,ｄの外周部分を折立てて、うさぎの耳のような新奇な展示効果を得ることができる。
【００２１】
さらに、本実施例１の飲料缶用の物品ホルダーの、他の実施例においては、図４Ａに示すように、４５×４５ｍｍの前辺が膨らんだ正方形状の水平部材２２の前辺に、長方形状の表示部材２３を折り目線ｅを介して連設することによって、図４Ｂに示すように、折り目線ａ ,ａと同時に折り目線ｅを山折りして、左右の起立部材２１ ,２１と同時に前辺の表示部材２３を折下げて、同時に表面に大売出しなどの美麗な印刷をして、キャンペーンの展示効果を強調することができる。
【実施例２】
【００２２】
図２Ａは、本発明の実施例２における、飲料缶用の物品ホルダーのブランクの平面図であって、図２Ｂ ,Ｃは、飲料缶用の物品ホルダーを、円柱状の飲料缶３０に繋止した状態を示す斜視図 ,部分断面説明図である。
【００２３】
すなわち、半円状の左の起立部材２１と縦横が５５×４８ｍｍの前後辺が凹んだ長方形状の水平部材２２と半円状の右の起立部材２１とを、折り目線ａ ,ａを介して順に連設して、この左右の起立部材２１ ,２１の上( 図２Ａでは右又は左 )端の、膨らんだ切れ目線ｃ ,ｃに替える前の折り目線ａ ,ａの位置に、Ｕ字状の両上端が接するように、Ｕ字状の深さが５ｍｍで左右幅が２０ｍｍの、実施例１と同一の偏平Ｕ字状の切れ目線ｂ ,ｂを設けて、この起立部材２１と水平部材２２と起立部材２１とを、順に連設した折り目線ａ ,ａの中央部分に替えて、半円状の、水平部材２２側に膨らんだ切れ目線ｃ ,ｃ設けたことによって、左右の起立部材２１ ,２１の上辺を一体に延長した物品ホルダー２０であって、上辺を一体に延長した左右の起立部材２１ ,２１の表面に大売出しなどの美麗な印刷をした、剛性を有する３５０ｇ／ｍ2 の裏白コートボール紙を用いて、実施例１と同一の通常の打抜型を用いた打抜工程で、図２Ａに示す無駄が少ない長方形楕円状の飲料缶用の物品ホルダーのブランクを作製した。
【００２４】
次に、図２Ａに示す飲料缶用の物品ホルダーのブランクの、折り目線ａ ,ａを山折りして左右の起立部材２１ ,２１を折下げて、外径が５２ｍｍで高さが９４ｍｍの、実施例１と同一の２００ｍｌ入の円柱状の飲料缶３０の上端の、外径が同一で上下幅が２.８ｍｍの、プルタブ付の蓋板の円周状の巻締め部３１に、物品ホルダー２０の上辺を一体に延長して折下げた左右の起立部材２１ ,２１の、上辺を一体に延長する前の上端に設けた偏平Ｕ字状の切れ目線ｂ ,ｂの、剛性を有するＵ字状の内側を押込んだところ、図２Ｂ ,Ｃに示すように、簡単に巻締め部３１の内側にＵ字状の内側が嵌合して、同時に巻締め部３１の下端にＵ字状の底部が嵌合して、物品ホルダー２０の水平部材２２の下面側が、円柱状の飲料缶３０の上端の円周状の巻締め部３１に接するように、確実に繋止することができる飲料缶用の物品ホルダーであって、しかも円柱状の飲料缶３０の上端の、円周状の巻締め部３１に確実に繋止した左右の起立部材２１ ,２１を、実施例１と同様に左右に開くように引張ることによって、上辺を一体に延長する前の上端に設けた偏平Ｕ字状の切れ目線ｂ ,ｂの、巻締め部３１の下端に嵌合したＵ字状の底部が外れて、簡単に取外すことができる飲料缶用の物品ホルダーが得られた。
【００２５】
すなわち、本実施例２の飲料缶用の物品ホルダーにおいては、大売出しなどのキャンペーンに合わせて、ジュースやコーヒーやビールなどの円柱状の飲料缶３０の上方に、子供玩具やクッキーやおつまみなどの小袋入りなどの物品４０を独自に選んで、店頭で水平部材２２の上面側に両面テープで接着するなどして添付して、物品ホルダー２０の上辺を一体に延長して折下げた左右の起立部材２１ ,２１を確実に繋止して展示販売することができる、しかも、この上辺を一体に延長して折下げた左右の起立部材２１ ,２１に、実施例１と同様に美麗な印刷をしたことによって、大売出しなどのキャンペーン表示がさらに容易であって、さらにキャンペーンの販売効果などが優れた飲料缶用の物品ホルダーを得ることができた。
【産業上の利用可能性】
【００２６】
本発明の、円柱状の飲料缶３０の上端の、プルタブ付の蓋板の円周状の巻締め部３１に、物品ホルダー２０の折下げた左右の起立部材２１ ,２１の、上端又は上部に設けた偏平Ｕ字状の切れ目線ｂ ,ｂの、剛性を有するＵ字状の内側を押込んで繋止する飲料缶用の物品ホルダーについては、ジュースやコーヒーやビールなどの円柱状の飲料缶３０の他に、大売出しなどのキャンペーンに合わせて、図示していない円柱状や楕円柱状や角を丸めた角柱状などの、各種の食品類を収容する食品缶など上方に、小袋入りなどの各種の景品類を、店頭で添付して展示販売する時に、そのまま幅広く利用することができる。
【図面の簡単な説明】
【００２７】
【図１】本発明の実施例１における、図１Ａは、飲料缶用の物品ホルダーのブランクの平面図であって、図１Ｂ ,Ｃは、飲料缶用の物品ホルダーを、円柱状の飲料缶３０に繋止した状態を示す斜視図 ,部分断面説明図である。
【図２】本発明の実施例２における、図２Ａは、飲料缶用の物品ホルダーのブランクの平面図であって、図２Ｂ ,Ｃは、飲料缶用の物品ホルダーを、円柱状の飲料缶３０に繋止した状態を示す斜視図 ,部分断面説明図である。
【図３】本発明の他の実施例における、図３Ａは、飲料缶用の物品ホルダーのブランクの平面図であって、図３Ｂは、飲料缶用の物品ホルダーの斜視図である。
【図４】本発明の他の実施例における、図４Ａは、飲料缶用の物品ホルダーのブランクの平面図であって、図４Ｂは、飲料缶用の物品ホルダーの斜視図である。
【図５】図５Ａ ,Ｂは、従来の円柱状の飲料缶３０の上方に、小袋入りなどの物品４０を添付した状態を示す断面説明図である。
【符号の説明】
【００２８】
２０    …物品ホルダー
２１    …起立部材
２２    …水平部材
２３    …表示部材
３０    …飲料缶
３１    …巻締め部
４０    …小袋入りなどの物品
５０    …シュリンク包装
６０    …プレミアムケース
６１    …係合爪
ａ ,ｅ  …折り目線
ｂ      …偏平Ｕ字状の切れ目線
ｃ      …膨らんだ切れ目線
ｄ      …逆Ｕ字状の切れ目線
【図１】
2005132448.tif 000003
【図２】
2005132448.tif 000004
【図３】
2005132448.tif 000005
【図４】
2005132448.tif 000006
【図５】
2005132448.tif 000007